(57)【要約】      （修正有）【課題】多くのレンズを効率よく配置したコネクタフェルールを提供する。【解決手段】第１コネクタフェルール１０は、光導波部材を保持する複数の保持孔と、第２コネクタフェルール２０を接続させるガイドピン１４及びガイドピン穴１５と、光導波部材と光学的に接続される複数のレンズ１２で構成されたレンズ群Ｒ１とを備える。レンズ群Ｒ１は、光軸に直交する平面に沿って配置されている。レンズ群Ｒ１を構成する各レンズ１２は、第２コネクタフェルール２０との接続時に、第２コネクタフェルール２０に設けられたレンズ２２と光学的に接続される。レンズ群Ｒ１は、光軸に直交する平面上でＸ方向に沿って８個のレンズ１２が配置されてなるレンズ１２の組Ｃ１を有している。レンズ１２の組Ｃ１は、Ｙ方向に沿って５段配置されている。光軸に直交する平面において、レンズ群Ｒ１を構成する各レンズ１２は、三角格子状に配置されている。【選択図】図２
2016057483.tif 000002
【特許請求の範囲】
【請求項１】
互いに接続可能な一対のコネクタフェルールの一方を構成するコネクタフェルールであって、
光導波部材を保持する複数の保持部と、
前記一対のコネクタフェルールの他方を構成する相手方フェルールを接続させるガイド部と、
前記光導波部材と光学的に接続される複数のレンズで構成されたレンズ群と、を備え、
前記レンズ群は、光軸に直交する平面に沿って配置されており、
前記レンズ群を構成する各レンズは、前記相手方フェルールとの接続時に、前記相手方フェルールに設けられたレンズと光学的に接続され、
前記レンズ群は、前記平面上で第１方向に沿って複数のレンズが配置されてなるレンズの組を有しており、
前記レンズの組は、前記第１方向に直交する第２方向に沿って複数段配置されており、
前記平面において、前記レンズ群を構成する各レンズは、三角格子状に配列されている、
コネクタフェルール。
【請求項２】
前記平面は、前記相手側フェルールと対向する端面であり、
前記ガイド部は、前記端面に複数配置されており、
前記端面において、複数の前記ガイド部は、前記端面上に位置する基準点又は基準線に対して互いに対称となる位置に配置されており、
前記レンズ群は、前記基準点を通ると共に前記第１方向若しくは前記第２方向に平行な直線、又は前記基準線に対して互いに対称となる位置に配置されている、
請求項１に記載のコネクタフェルール。
【請求項３】
前記ガイド部は、第１ガイド部と、前記相手方フェルールに設けられた前記第１ガイド部と接続可能な第２ガイド部と、を含んでおり、
前記第１ガイド部と前記第２ガイド部とは、前記基準線に対して互いに対称となる位置に配置されている、
請求項２に記載のコネクタフェルール。
【請求項４】
前記基準線は、前記第１方向に延在しており、
前記レンズの組は、前記第２方向に沿って奇数段配置されており、
奇数段目の前記レンズの組と、偶数段目の前記レンズの組とは、前記第１方向におけるレンズの位置が互いにずれている、
請求項２又は３に記載のコネクタフェルール。
【請求項５】
前記平面は、前記相手側フェルールと対向する端面であり、
前記ガイド部は、第１ガイド部と、前記相手方フェルールに設けられた前記第１ガイド部と接続可能な第２ガイド部と、を含んでおり、
前記第１ガイド部と前記第２ガイド部とは、前記端面上に位置する基準点に対して互いに対称となる位置に配置されている、
請求項１に記載のコネクタフェルール。
【発明の詳細な説明】
【技術分野】
【０００１】
本発明は、コネクタフェルールに関するものである。
【背景技術】
【０００２】
特許文献１には、一対に設けられる光ファイバ同士を接続させる光伝送用光学部品が記載されている。この光伝送用光学部品は、ファイバアレイの各ファイバ芯線を挟み込んで保持するファイバホルダと、複数のレンズが形成された光学機能アレイとを備えている。ファイバホルダの前面には複数のファイバ芯線の端面が露出しており、光学機能アレイの前面には複数のレンズが形成されている。ファイバホルダの前面において、複数のファイバ芯線は、所定の方向に沿って一列に並ぶように配列されている。光学機能アレイの前面において、複数のレンズは、上記所定の方向に沿って一列に並ぶように配列されている。また、ファイバ芯線から出射された光はレンズによって平行化して出力される。一方、レンズに入射された光はファイバ芯線の端面に集光される。
【先行技術文献】
【特許文献】
【０００３】
【特許文献１】特開２００８−１５１８４３号公報
【発明の概要】
【発明が解決しようとする課題】
【０００４】
上述したコネクタフェルールでは、複数のレンズが一列に並べて配列されている。よって、レンズの数が多い場合には、レンズの配置に伴って光学機能アレイの前面の面積が増大することとなり、レンズを効率よく配置できていないという問題がある。このように、コネクタフェルールでは、多くのレンズを効率よく配置することが求められている。
【０００５】
本発明は、このような実情に鑑みてなされたものであり、多くのレンズを効率よく配置することができるコネクタフェルールを提供することを課題とする。
【課題を解決するための手段】
【０００６】
上述した課題を解決するために、本発明の一側面に係るコネクタフェルールは、互いに接続可能な一対のコネクタフェルールの一方を構成するコネクタフェルールであって、光導波部材を保持する複数の保持部と、一対のコネクタフェルールの他方を構成する相手方フェルールを接続させるガイド部と、光導波部材と光学的に接続される複数のレンズで構成されたレンズ群と、を備え、レンズ群は、光軸に直交する平面に沿って配置されており、レンズ群を構成する各レンズは、相手方フェルールとの接続時に、相手方フェルールに設けられたレンズと光学的に接続され、レンズ群は、平面上で第１方向に沿って複数のレンズが配置されてなるレンズの組を有しており、レンズの組は、第１方向に直交する第２方向に沿って複数段配置されており、平面において、レンズ群を構成する各レンズは、三角格子状に配列されている。
【発明の効果】
【０００７】
本発明によれば、多くのレンズを効率よく配置することができる。
【図面の簡単な説明】
【０００８】
【図１】図１は、第１実施形態に係る一対のコネクタフェルールをＺ方向に沿って接続した状態を示す概念図である。
【図２】図２（ａ）は第１実施形態に係る第１コネクタフェルールの端面を示す図である。図２（ｂ）は第１実施形態に係る第２コネクタフェルールの端面を示す図である。
【図３】図３（ａ）は第１実施形態の変形例に係る第１コネクタフェルールの端面を示す図である。図３（ｂ）は第１実施形態の変形例に係る第２コネクタフェルールの端面を示す図である。
【図４】図４（ａ）は第２実施形態に係る第１コネクタフェルールの端面を示す図である。図４（ｂ）は第２実施形態に係る第２コネクタフェルールの端面を示す図である。
【図５】図５（ａ）は第２実施形態の変形例に係る第１コネクタフェルールの端面を示す図である。図５（ｂ）は第２実施形態の変形例に係る第２コネクタフェルールの端面を示す図である。
【発明を実施するための形態】
【０００９】
［本発明の実施形態の説明］
最初に、本発明の実施形態の内容を列記して説明する。（１）本発明の一側面に係るコネクタフェルールは、互いに接続可能な一対のコネクタフェルールの一方を構成するコネクタフェルールであって、光導波部材を保持する複数の保持部と、一対のコネクタフェルールの他方を構成する相手方フェルールを接続させるガイド部と、光導波部材と光学的に接続される複数のレンズで構成されたレンズ群と、を備え、レンズ群は、光軸に直交する平面に沿って配置されており、レンズ群を構成する各レンズは、相手方フェルールとの接続時に、相手方フェルールに設けられたレンズと光学的に接続され、レンズ群は、平面上で第１方向に沿って複数のレンズが配置されてなるレンズの組を有しており、レンズの組は、第１方向に直交する第２方向に沿って複数段配置されており、平面において、レンズ群を構成する各レンズは、三角格子状に配列されている。
【００１０】
本発明の一側面に係る光コネクタフェルールでは、光軸に直交する平面において、複数のレンズは三角格子状に配置されている。よって、複数のレンズを最密充填配置させることができるので、多くのレンズを効率よく配置することができる。
【００１１】
（２）上記のコネクタフェルールにおいて、上記平面は、相手側フェルールと対向する端面であり、ガイド部は、端面に複数配置されており、端面において、複数のガイド部は、端面上に位置する基準点又は基準線に対して互いに対称となる位置に配置されており、レンズ群は、基準点を通ると共に第１方向若しくは第２方向に平行な直線、又は基準線に対して互いに対称となる位置に配置されていてもよい。このように複数のガイド部及びレンズ群を互いに対称となる位置に配置することにより、一対のコネクタフェルールの姿勢を互いに安定させた状態で接続させることができる。また、この場合、相手方フェルールの端面の形状を一方のコネクタフェルールの端面の形状と同一としても、一方のコネクタフェルールの端面を反転させて、当該端面と相手方フェルールの端面とを対向させることにより、一対のコネクタフェルールを接続可能となる。従って、一方のコネクタフェルールと相手方フェルールとを互いに同一形状とすることができ、信頼性が高いコネクタ嵌合構造を提供することができる。
【００１２】
（３）上記のコネクタフェルールにおいて、ガイド部は、第１ガイド部と、相手方フェルールに設けられた第１ガイド部と接続可能な第２ガイド部と、を含んでおり、第１ガイド部と第２ガイド部とは、基準線に対して互いに対称となる位置に配置されていてもよい。この場合、一方のコネクタフェルールの第１ガイド部を相手方フェルールの第２ガイド部に接続させ、相手方フェルールの第１ガイド部を一方のコネクタフェルールの第２ガイド部に接続させることが可能となる。また、この接続構造では、別途ガイドピンを用意する必要がなく、更に、一方のコネクタフェルールと相手方フェルールとを互いに同一の構成を有するようにすることができる。従って、コネクタフェルールの製造等のコストを低減させることができる。
【００１３】
（４）上記のコネクタフェルールにおいて、基準線は、第１方向に延在しており、レンズの組は、第２方向に沿って奇数段配置されており、奇数段目のレンズの組と、偶数段目のレンズの組とは、第１方向におけるレンズの位置が互いにずれていてもよい。複数のレンズを、三角格子状に配列すると共に基準線に対して互いに対称となるように配置させるには、上記のように基準線が第１方向に延在すると共にレンズの組を奇数段配置させるのが好適である。これにより、複数のレンズの最密充填配置を容易に実現させることができる。
【００１４】
（５）上記のコネクタフェルールにおいて、上記平面は、相手側フェルールと対向する端面であり、ガイド部は、第１ガイド部と、相手方フェルールに設けられた第１ガイド部と接続可能な第２ガイド部と、を含んでおり、第１ガイド部と第２ガイド部とは、端面上に位置する基準点に対して互いに対称となる位置に配置されていてもよい。このように第１ガイド部と第２ガイド部とを互いに対称となる位置に配置することにより、一対のコネクタフェルールの姿勢を互いに安定させた状態で接続させることができる。従って、信頼性が高いコネクタ嵌合構造を提供することができる。
【００１５】
［本発明の実施形態の詳細］
本発明の実施形態に係るコネクタフェルールの具体例を図面を参照しつつ説明する。なお、本発明は、これらの例示に限定されるものではなく、特許請求の範囲によって示され、特許請求の範囲と均等の範囲内での全ての変更が含まれることが意図される。以下の説明では、図面の説明において同一の要素には同一の符号を付し、重複する説明を省略する。
【００１６】
（第１実施形態）
図１は、光接続構造１を示す概念図である。図２（ａ）は、第２コネクタフェルール（相手方フェルール）２０と対向する第１コネクタフェルール（一方のコネクタフェルール）１０の端面１１を示す図である。図２（ｂ）は、第１コネクタフェルール１０と対向する第２コネクタフェルール２０の端面２１を示す図である。図１及び図２に示されるように、光接続構造１は、互いに接続される第１コネクタフェルール１０と第２コネクタフェルール２０とを含んでいる。また、本実施形態において、端面１１及び端面２１は矩形状となっている。
【００１７】
第１コネクタフェルール１０は複数の光導波部材Ｆ１を保持しており、第２コネクタフェルール２０は複数の光導波部材Ｆ２を保持している。光導波部材Ｆ１及び光導波部材Ｆ２としては、コアとクラッドとを有する光ファイバが用いられる。光導波部材Ｆ１及び光導波部材Ｆ２は、シングルモード光ファイバであってもよいし、マルチモード光ファイバであってもよい。
【００１８】
第１コネクタフェルール１０及び第２コネクタフェルール２０は、所定の接続方向に沿って互いに接続される。この接続によって、光導波部材Ｆ１と光導波部材Ｆ２とは光学的に接続される。また、第１コネクタフェルール１０は、上述した端面１１と、端面１１に設けられた複数のレンズ１２で構成されたレンズ群Ｒ１と、端面１１の反対側から挿入された光導波部材Ｆ１を保持する複数の保持孔（保持部）１３と、端面１１に位置するガイドピン（ガイド部、第１ガイド部）１４と、端面１１に位置するガイドピン穴（ガイド部、第２ガイド部）１５とを備えている。第２コネクタフェルール２０も、第１コネクタフェルール１０と同様、端面２１と、複数のレンズ２２で構成されたレンズ群Ｒ２と、複数の保持孔２３と、ガイドピン（ガイド部、第１ガイド部）２４と、ガイドピン穴（ガイド部、第２ガイド部）２５とを備えている。
【００１９】
なお、以下では、第１コネクタフェルール１０と第２コネクタフェルール２０との接続方向をＺ方向、端面１１及び端面２１の長手方向をＸ方向（第１方向）、端面１１及び端面２１の短手方向をＹ方向（第２方向）として説明を行う。Ｘ方向とＹ方向とは、端面１１，２１上で互いに直交している。また、第１コネクタフェルール１０の構成と第２コネクタフェルール２０の構成とは共通する部分があるため、以下では、第１コネクタフェルール１０についての説明を重点的に行う。そして、第２コネクタフェルール２０における第１コネクタフェルール１０との重複部分については説明を省略する。
【００２０】
端面１１は、Ｚ方向において第２コネクタフェルール２０と対向する面である。端面１１に設けられたガイドピン１４は第２コネクタフェルール２０のガイドピン穴２５に挿入され、端面１１に設けられたガイドピン穴１５には第２コネクタフェルール２０のガイドピン２４が挿入される。
【００２１】
このガイドピン１４のガイドピン穴２５への挿入と、ガイドピン２４のガイドピン穴１５への挿入とによって、第１コネクタフェルール１０と第２コネクタフェルール２０とがＺ方向に沿って接続される。そして、ガイドピン１４のガイドピン穴２５への挿入と、ガイドピン２４のガイドピン穴１５への挿入とによって、第１コネクタフェルール１０と第２コネクタフェルール２０との位置決めがなされる。また、第１コネクタフェルール１０と第２コネクタフェルール２０とが接続された状態において、レンズ１２とレンズ２２との間には空間Ｈが設けられる。
【００２２】
保持孔１３及び光導波部材Ｆ１は、Ｚ方向に沿った軸線を有する円柱状に形成される。保持孔１３の径は光導波部材Ｆ１の径より僅かに大きくなっている。保持孔１３は、Ｘ方向に複数（本実施形態では８個）並設されており、Ｙ方向にも複数（本実施形態では５個）並設されている。保持孔１３に保持された光導波部材Ｆ１とレンズ１２とは互いに光学的に接続されている。
【００２３】
レンズ１２は、第１コネクタフェルール１０と第２コネクタフェルール２０とが接続されたときに、レンズ２２と光学的に接続される。具体的には、第１コネクタフェルール１０と第２コネクタフェルール２０との接続時において、光導波部材Ｆ１からは光軸Ｌに沿って光が出射される。光導波部材Ｆ１から出射された光は、発散しながら端面１１を通ってレンズ１２に到達し、レンズ１２によってコリメートされる。
【００２４】
レンズ１２によってコリメートされた光は、空間Ｈを通って第２コネクタフェルール２０のレンズ２２に到達する。レンズ２２に到達した光は、レンズ２２によって集光され端面２１を通って光導波部材Ｆ２に結合される。ここで、端面１１，２１は光軸Ｌに直交する平面となっており、光軸Ｌが延びる方向はＺ方向と略一致している。また、レンズ群Ｒ１，Ｒ２は、光軸Ｌに直交する平面に沿って配置されている。
【００２５】
上記のように、光接続構造１では、空間Ｈにおいてビーム径が拡大されたコリメートビームの態様で、第１コネクタフェルール１０及び第２コネクタフェルール２０間で光の授受が行われる。よって、仮に端面１１又は端面２１に埃等が付着したとしても光学特性が劣化しにくくなっている。また、仮にガイドピン１４，２４及びガイドピン穴１５，２５による位置決めの精度が若干低くても光学特性が劣化しにくくなっている（トレランスが広くなっている）。
【００２６】
また、光接続構造１において、多くの光導波部材Ｆ１，Ｆ２をコネクタフェルール１０，２０で結合できるか否か、つまり光導波部材Ｆ１，Ｆ２の集積度は、レンズ１２，２２の集積度によって決定される。また、光導波部材Ｆ１，Ｆ２の径に対してレンズ１２，２２の径を大きく形成しなければならないので、端面１１，２１で如何にレンズ１２，２２を密に集積できるかによって、光導波部材Ｆ１，Ｆ２の集積度が決定される。なお、従来の例では、所定のＹＺ断面においてレンズが細密に配置されており、レンズが四角格子配列として配置されていた。この場合、レンズを最密充填することができないので、レンズの集積度において改善の余地がある。
【００２７】
そこで、本実施形態では、端面１１において、レンズ群Ｒ１を構成する各レンズ１２が三角格子状に配置されている。同様に、Ｚ方向から見て保持孔１３及び光導波部材Ｆ１も三角格子状に配置されている。また、レンズ群Ｒ１は、端面１１上でＸ方向に沿って複数（本実施形態では８個）のレンズ１２が配置されてなるレンズ１２の組Ｃ１を有している。レンズ１２の組Ｃ１は、Ｙ方向に沿って複数段（本実施形態では５段）配置されている。
【００２８】
ガイドピン１４とガイドピン穴１５とは、端面１１上における基準点Ｏに対して互いに対称となる位置に配置されている。ここで端面１１上における基準点Ｏは、例えば、端面１１の中心（端面１１における２本の対角線の交点）とすることができる。
【００２９】
レンズ群Ｒ１は、端面１１に沿って延びる基準線（直線）Ａに対して互いに対称となる位置に配置されている。ガイドピン１４及びガイドピン穴１５も基準線Ａに対して互いに対称となる位置に配置されている。本実施形態において、基準線Ａは、基準点Ｏを通りＸ方向に平行な直線である。また、２個のガイドピン１４は、端面１１に沿って延びる基準線（直線）Ｂに対して互いに対称となる位置に配置されている。２個のガイドピン穴１５も基準線Ｂに対して互いに対称となる位置に配置されている。本実施形態において、基準線Ｂは、基準点Ｏを通りＹ方向に平行な直線である。
【００３０】
レンズ１２の組Ｃ１は、Ｙ方向に沿って奇数段（本実施形態では５段）配置されている。上から奇数段目（１段目、３段目及び５段目）のレンズ１２の組Ｃ１と、上から偶数段目（２段目及び４段目）のレンズ１２の組Ｃ１とは、Ｘ方向におけるレンズ１２の位置が互いにずれている。上から偶数段目の組Ｃ１のレンズ１２は、上から奇数段目の組Ｃ１のレンズ１２に対して、Ｘ方向における左側にシフトしている。また、上から３段目の組Ｃ１に沿って上述した基準線Ａが延びている。
【００３１】
また、第２コネクタフェルール２０の端面２１は、第１コネクタフェルール１０の端面１１を、Ｚ方向に延びる軸を中心として１８０度反転させた状態と同一である。よって、端面１１と端面２１とを対向配置させることにより、レンズ１２とレンズ２２とを接続させることが可能となる。そして、第１コネクタフェルール１０と第２コネクタフェルール２０とを同一の構成を有するようにすることができる。
【００３２】
以上のように、第１コネクタフェルール１０では、光軸Ｌに直交する平面において、複数のレンズ１２が三角格子状に配置されている。よって、複数のレンズ１２を最密充填配置させることができるので、多くのレンズ１２を効率よく配置することができる。第２コネクタフェルール２０についても同様である。
【００３３】
また、ガイドピン１４及びガイドピン穴１５は基準点Ｏ且つ基準線Ａに対して互いに対称となる位置に配置されており、レンズ群Ｒ１はＸ方向に平行な基準線Ａに対して互いに対称となる位置に配置されている。このようにガイドピン１４、ガイドピン穴１５及びレンズ群Ｒ１を互いに対称となるように配置することにより、コネクタフェルール１０，２０の姿勢を互いに安定させた状態で接続させることができる。また、第２コネクタフェルール２０の端面２１の形状と第１コネクタフェルール１０の端面１１の形状とを同一としても、端面１１を反転させて、端面１１と端面２１とを対向させることにより、一対のコネクタフェルール１０，２０を接続可能となる。従って、コネクタフェルール１０，２０を互いに同一の構成を有するようにすることが可能となり、信頼性が高いコネクタ嵌合構造を提供することができる。
【００３４】
また、第１コネクタフェルール１０のガイドピン１４を第２コネクタフェルール２０のガイドピン穴２５に接続させ、第２コネクタフェルール２０のガイドピン２４を第１コネクタフェルール１０のガイドピン穴１５に接続させることが可能となっている。よって、この接続構造では、別途ガイドピンを用意する必要がなく、更に、第１コネクタフェルール１０の構成と第２コネクタフェルール２０の構成とを同一とすることができる。従って、コネクタフェルール１０，２０の製造等のコストを低減させることが可能である。
【００３５】
また、基準線ＡはＸ方向に延在しており、レンズ１２の組はＹ方向に沿って奇数段配置されている。複数のレンズ１２を、三角格子状に配列すると共に基準線Ａに対して互いに対称となるように配置させるには、上記のように基準線ＡがＸ方向に延在すると共にレンズ１２の組Ｃ１を奇数段配置させるのが好適である。これにより、複数のレンズ１２の最密充填配置を容易に実現させることができる。
【００３６】
図３（ａ）は、第１実施形態の変形例に係る第１コネクタフェルール３０の端面３１を示す図である。図３（ｂ）は、第１実施形態の変形例に係る第２コネクタフェルール４０の端面４１を示す図である。図３（ａ）及び図３（ｂ）に示されるように、コネクタフェルール３０，４０は、ガイドピンを有しておらず、ガイド部としてガイドピン穴３５，４５のみを備えている。
【００３７】
第１コネクタフェルール３０は、端面３１上に２個のガイドピン穴３５を備えている。２個のガイドピン穴３５は、基準点Ｏ且つ基準線Ｂに対して互いに対称となる位置に配置されている。また、２個のガイドピン穴３５は、共に基準線Ａ上に配置されている。第２コネクタフェルール４０も端面４１上に２個のガイドピン穴４５を備えており、２個のガイドピン穴４５は上記ガイドピン穴３５と同様に配置されている。
【００３８】
コネクタフェルール３０，４０では、端面３１，４１同士を対向させた状態でガイドピン穴３５及びガイドピン穴４５の両方に別途ガイドピンを挿入させる。このガイドピンにより、第１コネクタフェルール３０と第２コネクタフェルール４０との位置決めがなされ、第１コネクタフェルール３０と第２コネクタフェルール４０とがＺ方向に接続される。
【００３９】
また、第１コネクタフェルール３０の端面３１を上下反転させると、第２コネクタフェルール４０の端面４１と同一形状となる。従って、第１コネクタフェルール３０と第２コネクタフェルール４０とを同一形状とすることができる。更に、基準線Ａ上にガイドピン穴３５，４５が配置されるので、一対のコネクタフェルール３０，４０の姿勢を安定させた状態で、コネクタフェルール３０，４０を互いに支持固定させることが可能となる。
【００４０】
（第２実施形態）
図４（ａ）及び図４（ｂ）は、第２実施形態に係る第１コネクタフェルール５０の端面５１と第２コネクタフェルール６０の端面６１とをそれぞれ示している。第２実施形態では第１実施形態と重複する説明を省略する。第１コネクタフェルール５０は、第１実施形態とは異なる複数のレンズ５２で構成されたレンズ群Ｒ３、ガイドピン５４及びガイドピン穴５５を備えている。第２コネクタフェルール６０も、第１実施形態とは異なる複数のレンズ６２で構成されたレンズ群Ｒ４、ガイドピン６４及びガイドピン穴６５を備えている。
【００４１】
レンズ群Ｒ３は、端面５１上でＸ方向に沿って複数（本実施形態では８個）のレンズ５２が配置されてなるレンズ５２の組Ｃ２を有している。レンズ５２の組Ｃ２は、Ｙ方向に沿って複数段（本実施形態では４段）配置されている。また、上から偶数段目の組Ｃ２のレンズ５２は、上から奇数段目の組Ｃ２のレンズ５２に対して、Ｘ方向における左側にシフトしている。レンズ群Ｒ４も同様の組Ｃ２を有している。上から偶数段目の組Ｃ２のレンズ６２は、上から奇数段目の組Ｃ２のレンズ６２に対して、Ｘ方向における右側にシフトしている。
【００４２】
ガイドピン５４及びガイドピン穴５５は、基準点Ｏ且つ基準線Ｂに対して互いに対称となる位置に配置されている。ガイドピン５４及びガイドピン穴５５は、共に基準線Ａ上に配置されている。また、ガイドピン５４は端面５１において基準点Ｏよりも左側に配置されており、ガイドピン穴５５は端面５１において基準点Ｏよりも右側に配置されている。ガイドピン６４及びガイドピン穴６５についても同様である。
【００４３】
以上のように構成されたコネクタフェルール５０，６０では、第１コネクタフェルール５０の端面５１と第２コネクタフェルール６０の端面６１とを対向配置させることにより、レンズ５２とレンズ６２とを互いに接続させることが可能となる。
【００４４】
また、コネクタフェルール５０，６０において、ガイドピン５４，６４とガイドピン穴５５，６５とは、基準点Ｏ且つ基準線Ｂに対して互いに対称となる位置に配置されている。このようにガイドピン５４，６４とガイドピン穴５５，６５とを互いに対称となる位置に配置することにより、一対のコネクタフェルール５０，６０の姿勢を互いに安定させた状態で接続させることができる。従って、信頼性が高いコネクタ嵌合構造を提供することができる。
【００４５】
図５（ａ）は、第２実施形態の変形例に係る第１コネクタフェルール７０の端面７１を示す図である。図５（ｂ）は、第２実施形態の変形例に係る第２コネクタフェルール８０の端面８１を示す図である。図５（ａ）及び図５（ｂ）に示されるように、コネクタフェルール７０，８０は、ガイドピン５４，６４及びガイドピン穴５５，６５とは異なるガイドピン７４，８４及びガイドピン穴７５，８５を備えている。
【００４６】
ガイドピン７４及びガイドピン穴７５は、基準点Ｏに対して互いに対称となる位置に配置されている。また、ガイドピン７４及びガイドピン穴７５は、基準線Ａ上に配置されていない。ガイドピン８４及びガイドピン穴８５についても同様である。また、端面７１においてガイドピン７４は基準点Ｏの左上に設けられており、ガイドピン穴７５は基準点Ｏの右下に設けられている。一方、端面８１においてガイドピン８４は基準点Ｏの左下に設けられており、ガイドピン穴８５は基準点Ｏの右上に設けられている。コネクタフェルール７０，８０では、端面７１と端面８１とを対向配置させることにより、レンズ５２とレンズ６２とを接続させることが可能となる。
【００４７】
以上、本発明の実施形態について説明したが本発明は上記実施形態に限定されるものではなく、本発明の要旨を逸脱しない範囲で種々の変形が可能である。例えば、第１実施形態において、レンズ群Ｒ１は基準線Ａに対して互いに対称となるように配置され、ガイドピン１４及びガイドピン穴１５も基準線Ａに対して互いに対称となるように配置されていた。しかし、レンズ群、ガイドピン及びガイドピン穴は、基準線Ａ以外の直線、例えば基準線Ｂに対して互いに対称となるように配置されていてもよい。
【符号の説明】
【００４８】
１…光接続構造、１０，２０，３０，４０，５０，６０，７０，８０…コネクタフェルール、１１，２１，３１，４１，５１，６１，７１，８１…端面、１２，２２，５２，６２…レンズ、１３，２３…保持孔、１４，２４，５４，６４，７４，８４…ガイドピン（ガイド部、第１ガイド部）、１５，２５，３５，４５，５５，６５，７５，８５…ガイドピン穴（ガイド部、第２ガイド部）、Ａ，Ｂ…基準線、Ｌ…光軸、Ｏ…基準点、Ｒ１〜Ｒ４…レンズ群。
【図１】
2016057483.tif 000003
【図２】
2016057483.tif 000004
【図３】
2016057483.tif 000005
【図４】
2016057483.tif 000006
【図５】
2016057483.tif 000007